(57)【特許請求の範囲】
【請求項１】
水門を開閉する扉体を昇降させる電動機と、前記扉体を自重により降下させる際、前記扉体の自重降下速度を略一定に制動する自重降下制動装置とを備えた開閉装置本体が、扉体の幅方向両側にそれぞれ独立して一対配置された水門開閉装置の開閉制御方法であって、
前記扉体を降下させる際、前記各開閉装置本体の自重降下制動装置の作動による自重降下を含むように制御して、
前記扉体の降下中、前記扉体の幅方向が前記水門の幅方向に対して傾斜した場合、前記各開閉装置本体の電動機の回転駆動を制御することで、前記扉体の降下を継続させながら、その傾斜姿勢を補正することを特徴とする水門開閉装置の開閉制御方法。
【請求項２】
水門を開閉する扉体を昇降させる水門開閉装置であって、
該水門開閉装置は、
前記扉体の昇降に伴って回転する回転軸と、該回転軸と連結される出力軸を有する差動装置と、該差動装置の第１入力軸に連結される電動機と、該第１入力軸を解放または拘束する第１ブレーキ手段と、前記差動装置の第２入力軸に連結され、前記扉体の自重降下速度を略一定に制動する自重降下制動装置と、該第２入力軸を解放または拘束する第２ブレーキ手段とを備え、前記扉体の幅方向両側にそれぞれ独立して一対配置された開閉装置本体と、
前記扉体の昇降時、該扉体の幅方向が前記水門の幅方向に対して傾斜した状態を検知する開度偏差計と、
前記扉体の降下速度を制御する降下速度制御装置と、を備え、
該降下速度制御装置は、
前記扉体を降下させる際、前記各開閉装置本体の第１及び第２ブレーキ手段の操作により、少なくとも前記第２入力軸を解放して、前記各開閉装置本体の自重降下制動装置の作動による自重降下を含むように制御して、
前記扉体の降下中、前記開度偏差計により前記扉体の傾斜姿勢を検知した場合、前記各開閉装置本体の第１及び第２ブレーキ手段の操作により第１及び第２入力軸を解放して、各開閉装置本体の電動機の回転駆動を制御することで、前記扉体の降下を継続させながら、その傾斜姿勢を補正することを特徴とする水門開閉装置。
【発明の詳細な説明】
【技術分野】
【０００１】
本発明は、水門を開閉する扉体が降下される際の降下速度を適正化する水門開閉装置及び開閉制御方法に関するものである。
【背景技術】
【０００２】
従来では、水門を閉鎖するに伴って扉体を降下させる際、通常通り電動機を閉方向に回転駆動させることにより扉体を降下させると、水門を完全に閉鎖する時間が長くなるために、閉鎖時間を短縮するために扉体の自重を利用して扉体を高速で降下させる自重降下機能付きの水門開閉装置が多数採用されている。
【０００３】
上述したような従来の水門開閉装置では、昇降の際に使用する電動機と、自重降下させる際に使用する自重降下制動装置とを安全に確実に切り換えができる差動装置を利用した切換装置が備えられている。なお、切換装置である差動装置は一つの出力軸と二つの入力軸を有している。そして、切換装置の出力軸には扉体の昇降に伴って回転する回転軸が連結される。また、切換装置の第１入力軸には、該第１入力軸を解放または拘束するブレーキ手段を介して電動機が連結されて、一方、切換装置の第２入力軸には、該第２入力軸を解放または拘束するブレーキ手段を介して自重降下制動装置が連結される。なお、自重降下制動装置としては、遠心ブレーキ、ファンブレーキ及び油圧ブレーキなどが用いられ、扉体の自重降下速度が一定の速度に到達すると、扉体自重による回転トルクが自重降下制動装置の制動機構の発生するトルクと等しくなるようにされている。
【０００４】
そして、上述した従来の水門開閉装置では、常時においては、自重降下制動装置側のブレーキ手段の操作により第２入力軸を拘束する状態として、一方、電動機側のブレーキ手段の操作により第１入力軸を解放した状態として、電動機の回転駆動により扉体の昇降を行っている。また、扉体を自重で降下させるには、自重降下制動装置側のブレーキ手段の操作により第２入力軸を解放した状態として、一方、電動機側のブレーキ手段の操作により第１入力軸を拘束した状態として、第２入力軸の回転が自重降下制動装置に入力されるようにして、自重降下制動装置により扉体を一定の降下速度で降下させるようにしている。
【０００５】
なお、扉体を自重降下させる従来技術として特許文献１には、被駆動軸に、扉体が自重降下する際その降下速度を調節する遠心ブレーキが連結され、これにより、停電時、無動力においても扉体は自重で降下するが、降下する際には遠心ブレーキによって、扉体の降下速度が一定速度以下となるように調節される水門開閉装置が開示されている。
【先行技術文献】
【特許文献】
【０００６】
【特許文献１】特開２００５−１４６５２２号公報
【発明の概要】
【発明が解決しようとする課題】
【０００７】
しかしながら、特許文献１の発明を含む従来の水門開閉装置では、扉体を自重降下させる際その降下速度が一定であるため、水門の閉鎖時間を短縮するため降下速度を速く設定すると床面に到達した際に床面との衝突により扉体が損傷する虞があり、一方、扉体が損傷しないように、降下速度を遅く設定すると降下時間（水門の閉鎖時間）が長くなり、好ましくない。
【０００８】
しかも、扉体の幅方向両側に電動機及び自重降下制動装置等から構成される水門開閉装置が一対備えられる場合、扉体を自重降下させる際、扉体をその幅方向が水門の幅方向に対して傾斜することなく平衡状態で自重降下させるには、一対の自重降下制動装置の各降下速度（制動速度）を同調させる必要がある。しかしながら、自重降下制動装置として採用される遠心ブレーキ、ファンブレーキ及び油圧ブレーキでは、その制動回転数のばらつきが大きく降下速度の精度を確保することが困難になる。例えば、遠心ブレーキにおいては、回転片とドラムとの摩擦係数が制動トルクの大きさを決定する支配的な要素となるが、その摩擦係数が常時安定しないために、一対の自重降下制動装置それぞれの降下速度を同調するのが困難になる。
【０００９】
さらに、降下中に扉体が傾斜した場合、扉体の幅方向両側において先行して降下する側の自重降下制動装置への入力を一時遮断する操作を行い、扉体の傾斜を補正する必要があるが、補正のために各自重降下制動装置への入力に対する解放及び遮断を繰り返す制御を行った場合、自重降下速度が高速のうえに、解放及び遮断に対する応答性が悪く、扉体の傾斜を補正するには問題がある。
【００１０】
本発明は、かかる点に鑑みてなされたものであり、扉体を降下させる際、その降下速度を制御して安定して降下させることのできる水門開閉装置及び開閉制御方法を提供することを目的とする。
【課題を解決するための手段】
【００１１】
本発明は、上記課題を解決するための手段として、請求項１に記載した水門開閉装置の開閉制御方法に係る発明は、水門を開閉する扉体を昇降させる電動機と、前記扉体を自重により降下させる際、前記扉体の自重降下速度を略一定に制動する自重降下制動装置とを備えた開閉装置本体が、扉体の幅方向両側にそれぞれ独立して一対配置された水門開閉装置の開閉制御方法であって、前記扉体を降下させる際、前記各開閉装置本体の自重降下制動装置の作動による自重降下を含むように制御して、前記扉体の降下中、前記扉体の幅方向が前記水門の幅方向に対して傾斜した場合、前記各開閉装置本体の電動機の回転駆動を制御することで、前記扉体の降下を継続させながら、その傾斜姿勢を補正することを特徴とするものである。
請求項１に記載した水門開閉装置の開閉制御方法に係る発明では、扉体は、少なくとも、自重降下制動装置の作動による降下速度によって高速で自重降下するようになり、水門の閉鎖時間を短縮することができる。
すなわち、請求項１の発明では、自重降下制動装置の作動により高速で自重降下している時に、電動機側の回転駆動として正転または逆転（開方向または閉方向）を加えることにより、降下速度を調節することが可能となる。
また、降下中、扉体の幅方向が水門の幅方向に対して傾斜した場合、各開閉装置本体の電動機の回転駆動を制御することで、扉体の降下を継続させながら、その傾斜姿勢を補正するので、扉体が傾斜しても水門の閉鎖時間に影響を及ぼすことはない。
なお、電動機の回転駆動の制御は、回転方向、回転速度、起動及び停止を含む制御である。
【００１２】
また、請求項１に記載した水門開閉装置の開閉制御方法に係る発明では、例えば、扉体を降下させる際、各開閉装置本体の、自重降下制動装置の作動と電動機の回転駆動とを加えて降下させて、扉体の降下中、扉体が傾斜した場合、先行して降下している側の開閉装置本体の電動機だけを停止または開方向に回転駆動させて、扉体の幅方向両端部の降下速度を調整することで、扉体の降下を継続させながら、その傾斜姿勢を補正することができる。
さらに、請求項１に記載した水門開閉装置の開閉制御方法に係る発明では、例えば、扉体を降下させる際、各開閉装置本体の自重降下制動装置の作動により自重降下させて、扉体の降下中、扉体が傾斜した場合、各開閉装置本体の電動機の回転駆動を制御（例えば、先行して降下している側の電動機を開方向に回転駆動または起動させず、遅行して降下している側の電動機を閉方向に回転駆動させる）して、扉体の幅方向両端部の降下速度を調整することで、扉体の降下を継続させながら、その傾斜姿勢を補正することができる。
【００１３】
請求項２に記載した水門開閉装置に係る発明は、水門を開閉する扉体を昇降させる水門開閉装置であって、該水門開閉装置は、前記扉体の昇降に伴って回転する回転軸と、該回転軸と連結される出力軸を有する差動装置と、該差動装置の第１入力軸に連結される電動機と、該第１入力軸を解放または拘束する第１ブレーキ手段と、前記差動装置の第２入力軸に連結され、前記扉体の自重降下速度を略一定に制動する自重降下制動装置と、該第２入力軸を解放または拘束する第２ブレーキ手段とを備え、前記扉体の幅方向両側にそれぞれ独立して一対配置された開閉装置本体と、前記扉体の昇降時、該扉体の幅方向が前記水門の幅方向に対して傾斜した状態を検知する開度偏差計と、前記扉体の降下速度を制御する降下速度制御装置と、を備え、該降下速度制御装置は、前記扉体を降下させる際、前記各開閉装置本体の第１及び第２ブレーキ手段の操作により、少なくとも前記第２入力軸を解放して、前記各開閉装置本体の自重降下制動装置の作動による自重降下を含むように制御して、前記扉体の降下中、前記開度偏差計により前記扉体の傾斜姿勢を検知した場合、前記各開閉装置本体の第１及び第２ブレーキ手段の操作により第１及び第２入力軸を解放して、各開閉装置本体の電動機の回転駆動を制御することで、前記扉体の降下を継続させながら、その傾斜姿勢を補正することを特徴とするものである。
請求項２に記載した水門開閉装置の開閉制御方法に係る発明では、扉体は、第１及び第２ブレーキ手段の操作により差動装置の少なくとも第２入力軸を解放することで、扉体は、少なくとも、自重降下制動装置の作動による降下速度によって高速で自重降下するようになる。
また、降下中、扉体の幅方向が水門の幅方向に対して傾斜した場合、各開閉装置本体の電動機の回転駆動を制御することで、扉体の降下を継続させながら、その傾斜姿勢を補正するので、扉体が傾斜しても水門の閉鎖時間に影響を及ぼすことはない。
なお、電動機の回転駆動の制御は、回転方向、回転速度、起動及び停止を含む制御である。
【００１４】
また、請求項２に記載した水門開閉装置に係る発明では、例えば、扉体を降下させる際、各開閉装置本体の第１及び第２ブレーキ手段の操作により第１及び第２入力軸を共に解放して、各開閉装置本体の、自重降下制動装置の作動と電動機の回転駆動とを加えて降下させて、扉体の降下中、開度偏差計により扉体の傾斜姿勢を検知した場合、各開閉装置本体の第１及び第２入力軸の解放状態を継続しつつ、先行して降下している側の開閉装置本体の電動機だけを停止または開方向に回転駆動させて、扉体の幅方向両端部の降下速度を調整することで、扉体の降下を継続させながら、その傾斜姿勢を補正することができる。
さらに、請求項２に記載した水門開閉装置に係る発明では、例えば、扉体を降下させる際、各開閉装置本体の第１及び第２ブレーキ手段の操作により第２入力軸だけを解放して、各開閉装置本体の自重降下制動装置の作動により自重降下させて、扉体の降下中、開度偏差計により扉体の傾斜姿勢を検知した場合、各開閉装置本体の第１及び第２ブレーキ手段の操作により各開閉装置本体の第１及び第２入力軸を共に解放して、各開閉装置本体の電動機の回転駆動を制御（例えば、先行して降下している側の電動機を開方向に回転駆動または起動させず、遅行して降下している側の電動機を閉方向に回転駆動させる）して、扉体の幅方向両端部の降下速度を調整することで、前記扉体の降下を継続させながら、その傾斜姿勢を補正することができる。
【発明の効果】
【００１５】
本発明の水門開閉装置及び開閉制御方法によれば、扉体の降下の際、扉体の降下初期から着床直前までの範囲では、比較的高速で降下させることができ、着床直前から着床までの範囲では、扉体へ着床時に衝撃を与えない程度の安全な降下速度で降下させることができる。これにより、扉体に着床時に損傷を与えることなく、短時間で水門を閉鎖することができる。
【図面の簡単な説明】
【００１６】
【図１】図１は、本発明の第１の実施形態に係る水門開閉装置の模式図である。
【図２】図２は、本発明の第２の実施形態に係る水門開閉装置の模式図である。
【図３】図３は、第２の実施形態に係る水門開閉装置に備えた降下速度制御装置における制御フローを示した図である。
【発明を実施するための形態】
【００１７】
以下、本発明を実施するための形態を図１〜図３に基づいて詳細に説明する。
なお、以下に、本発明の第１及び第２の実施形態に係る水門開閉装置１ａ、１ｂを説明するが、そのうち、第２の実施形態に係る水門開閉装置１ｂが、特許請求の範囲に記載した発明に対応するものである。
まず、本発明の第１の実施形態に係る水門開閉装置１ａを図１に基づいて説明する。
水門を構成する左右一対の門柱１０、１１間に扉体２が昇降自在に案内されている。扉体２の上部には左右一対のシーブ３、４がそれぞれ配置されている。各シーブ３、４には、ワイヤロープ５が巻回されており、該ワイヤロープ５の一端は他方の門柱１１の上端に係止され、一方、ワイヤロープ５の他端は一方の門柱１０の上方に配置されたワイヤロープ巻取ドラム１３に巻回されている。そして、ワイヤロープ巻取ドラム１３を開閉方向に回転駆動させることでワイヤロープ５を介して扉体２を門柱１０、１１間に沿って昇降させるようにしている。
【００１８】
そして、第１の実施形態に係る水門開閉装置１ａは、ワイヤロープ巻取ドラム１３を開閉方向に回転駆動させるものである。該水門開閉装置１ａは、一方の門柱１０の上方に配置されている。該水門開閉装置１ａは、ワイヤロープ巻取ドラム１３に連結され、該ワイヤロープ巻取ドラム１３との間で相互に回転駆動を伝達する回転軸１５と、該回転軸１５に連結され該回転軸１５との間で相互に回転駆動を伝達する出力軸１７を有する差動装置２０と、該差動装置２０の第１入力軸１８に連結される電動機２１と、該第１入力軸１８を解放または拘束する第１ブレーキ手段２５と、差動装置２０の第２入力軸１９に連結され、扉体２の自重降下速度を略一定に制動する自重降下制動装置３０と、該第２入力軸１９を解放または拘束する第２ブレーキ手段２７と、電動機２１、第１ブレーキ手段２５及び第２ブレーキ手段２７の作動及び停止により、扉体２の降下速度を制御する降下速度制御装置３５とを備えて構成される。また、本水門開閉装置１ａには、扉体２が着床する直前を検知すると共に、扉体２が完全に着床した状態を検知するための検知スイッチ４０を備えている。この検知スイッチ４０は、例えば、回転軸１５の回転による回転角度（位相の変化）により、扉体２が着床する直前に到達した時点、及び扉体２が完全に着床した時点を検知するように構成される。
【００１９】
回転軸１５には平歯車１５ａが一体的に連結されている。差動装置２０から延びる出力軸１７にも平歯車１７ａが一体的に連結されている。これら回転軸１５の平歯車１５ａと出力軸１７の平歯車１７ａとが噛み合っており、回転軸１５と出力軸１７とは相互に回転駆動を伝達するように構成される。差動装置２０の第１入力軸１８は電動機２１に連結されている。第１入力軸１８には第１ブレーキ手段２５が備えられる。該第１ブレーキ手段２５は第１入力軸１８を拘束及び解放するためのものであり、油圧押上げブレーキや電磁ブレーキ等が採用される。また、差動装置２０の第２入力軸１９は自重降下制動装置３０に連結されている。第２入力軸１９には第２ブレーキ手段２７が備えられる。該第２ブレーキ手段２７は第２入力軸１９を拘束及び解放するためのものであり、第１ブレーキ手段２５と同様に油圧押上げブレーキや電磁ブレーキ等が採用される。前述したように、自重降下制動装置３０は、遠心ブレーキ、ファンブレーキ及び油圧ブレーキなどが採用される。自重降下制動装置３０により、扉体２を自重降下させる際には、その降下速度を略一定に調節することができる。扉体２の自重降下速度は自重降下制動装置３０により予め設定される。降下速度制御装置３５は、検知スイッチ４０、電動機２１、第１ブレーキ手段２５及び第２ブレーキ手段２７に電気的に接続されており、検知スイッチ４０からの信号に基づいて、電動機２１、第１ブレーキ手段２５及び第２ブレーキ手段２７の作動及び停止を制御するものである。
【００２０】
次に、降下速度制御装置３５による制御方法を詳細に説明する。
なお、本実施形態では、電動機２１の閉方向への回転駆動による扉体２の降下速度はα（ｍ／ｍｉｎ）に設定される。一方、自重降下制動装置３０の作動による扉体２の自重降下速度はβ（≧α）（ｍ／ｍｉｎ）に設定される。
【００２１】
まず、扉体２の降下初期の段階では、降下速度制御装置３５からの信号により、電動機２１を閉方向に回転駆動させて、第１ブレーキ手段２５の操作により第１入力軸１８を解放すると共に第２ブレーキ手段２７の操作により第２入力軸１９を解放した状態とする。
すると、差動装置２０からの第１入力軸１８は電動機２１の閉方向への回転駆動により所定速度で回転すると共に第２入力軸１９も自重降下制動装置３０の作動により所定速度で回転し（扉体２の自重による降下に対して自重降下制動装置３０により制動力が作用する）、差動装置２０からの出力軸１７は第１及び第２入力軸１８、１９の回転速度を合わせた回転速度で閉方向に回転駆動するようになる。その結果、扉体２は降下速度α＋β（ｍ／ｍｉｎ）で降下するようになる。
【００２２】
次に、扉体２が着床直前に到達すると、検知スイッチ４０によりその信号が降下速度制御装置３５に入力される。そして、降下速度制御装置３５からの信号により、電動機２１の閉方向への回転駆動を維持して、第１ブレーキ手段２５の操作により第１入力軸１８を解放すると共に第２ブレーキ手段２７の操作により第２入力軸１９を拘束した状態とする。
すると、差動装置２０からの第１入力軸１８だけが電動機２１の閉方向への回転駆動により回転し、第１入力軸１８の回転駆動だけが差動装置２０の出力軸１７に伝達されて該出力軸１７が閉方向に回転駆動するようになる。その結果、扉体２は降下速度α（ｍ／ｍｉｎ）で降下するようになる。
【００２３】
なお、電動機２１の回転駆動による降下速度α（ｍ／ｍｉｎ）＞自重降下制動装置３０の作動による降下速度β（ｍ／ｍｉｎ）の場合、扉体２が着床直前に到達した際、電動機２１の回転駆動を停止して、第１ブレーキ手段２５の操作により第１入力軸１８を拘束すると共に第２ブレーキ手段２７の操作により第２入力軸１９を解放して、差動装置２０の第２入力軸１９だけを自重降下制動装置３０の作動により所定速度で閉方向へ回転させて、扉体２を降下速度β（ｍ／ｍｉｎ）で降下させるようにしてもよい。
【００２４】
最終的に、扉体２が完全に着床すると、検知スイッチ４０によりその信号が降下速度制御装置３５に入力される。そして、降下速度制御装置３５からの信号により、電動機２１の閉方向への回転駆動を停止して、第１ブレーキ手段２５の操作により第１入力軸１８を拘束すると共に第２ブレーキ手段２７の操作により第２入力軸１９を拘束した状態とする。
【００２５】
このように、扉体２を降下させる際、降下速度制御装置３５の制御により、扉体２の降下初期から着床直前までの範囲では、扉体２を比較的高速の降下速度α＋β（ｍ／ｍｉｎ）で降下させることができ、扉体２の着床直前から着床までの範囲では、扉体２へ着床時に衝撃を与えない安全な降下速度α（ｍ／ｍｉｎ）で降下させることができる。
【００２６】
なお、第１の実施形態に係る水門開閉装置１ａにより扉体２を上昇させるには、降下速度制御装置３５からの信号により、第１ブレーキ手段２５の操作により第１入力軸１８を解放すると共に第２ブレーキ手段２７の操作により第２入力軸１９を拘束した状態として、電動機２１を開方向へ回転駆動させれば、扉体２は門柱１０、１１間に沿って所定の上昇速度で上昇するようになる。
【００２７】
以上説明した、本発明の第１の実施形態に係る水門開閉装置１ａによれば、降下速度制御装置３５の制御により、扉体２の降下初期から着床直前までの範囲では、電動機２１を閉方向に回転駆動させると共に、第１ブレーキ手段２５及び第２ブレーキ手段２７の操作により第１及び第２入力軸１８、１９を解放した状態とすることで、扉体２が降下速度α＋β（ｍ／ｍｉｎ）で降下するようになる。一方、扉体２の着床直前から着床までの範囲では、電動機２１の閉方向への回転駆動を維持すると共に、第１ブレーキ手段２５及び第２ブレーキ手段２７の操作により第１入力軸１８だけを解放した状態とすることで、扉体２が降下速度α（ｍ／ｍｉｎ）で降下するようになる。その結果、扉体２を降下初期から着床直前までの範囲では、比較的高速である降下速度α＋β（ｍ／ｍｉｎ）で降下させることができ、扉体２の着床直前から着床までの範囲では、扉体２へ着床時に衝撃を与えない安全な降下速度α（ｍ／ｍｉｎ）で降下させることができる。これにより、扉体２に着床時に損傷を与えることなく、短時間で水門を閉鎖することができる。
【００２８】
なお、本水門開閉装置１ａでは、扉体２を自重降下制動装置３０の作動により自重降下させている際、電動機２１の開方向または閉方向への回転駆動により扉体２の降下速度を調節することも可能となる。
【００２９】
次に、第２の実施形態に係る水門開閉装置１ｂを図２及び図３に基づいて詳細に説明する。第２の実施形態に係る水門開閉装置１ｂを説明する際には第１の実施形態に係る水門開閉装置１ａとの相違点のみを説明する。
左右一対の門柱１０、１１の上方にはワイヤロープ巻取ドラム１３、１４がそれぞれ配置されている。扉体２の幅方向両側には一対のシーブ３、４がそれぞれ配置されている。各シーブ３、４には、独立したワイヤロープ５、６がそれぞれ巻回されている。一方のワイヤロープ５は対応するシーブ３に巻回されて、一方のワイヤロープ５の一端が一方の門柱１０の上端に係止され、該一方のワイヤロープ５の他端が一方のワイヤロープ巻取ドラム１３に巻回されている。同様に他方のワイヤロープ６は対応するシーブ４に巻回されて、他方のワイヤロープ６の一端が他方の門柱１１の上端に係止され、該他方のワイヤロープ６の他端が他方のワイヤロープ巻取ドラム１４に巻回されている。
【００３０】
そして、第２の実施形態に係る水門開閉装置１ｂでは、回転軸１５、１６、電動機２１，２１、差動装置２０、２０、自重降下制動装置３０、３０、第１ブレーキ手段２５、２５及び第２ブレーキ手段２７、２７から構成される開閉装置本体３８、３９が左右一対の門柱１０、１１上（扉体２の幅方向両側）にそれぞれ備えられている。各開閉装置本体３８、３９の回転軸１５、１６が、各ワイヤロープ巻取ドラム１３、１４との間で相互に回転駆動を伝達するように連結されている。第２の実施形態に係る水門開閉装置１ｂは開度偏差計４１を備えている。該開度偏差計４１は、水門の開放領域が左右のいずれかに偏った状態、すなわち、扉体２が平衡状態に維持されておらず、一方または他方の門柱１０、１１に向かって傾斜している状態（扉体２の幅方向が水門の幅方向に対して傾斜している状態）を計測するものである。例えば、開度偏差計４１は、各開閉装置本体３８、３９の回転軸１５、１６の位相差を計測することによってその傾斜状態（扉体２の傾斜姿勢）を算出するように構成される。また、第２の実施形態に係る水門開閉装置１ｂにも検知スイッチ４０が採用されており、各開閉装置本体３８、３９の回転軸１５、１６の回転による回転角度（位相の変化）により、扉体２が着床する直前に到達した時点、及び扉体２が完全に着床した時点を検知するように構成される。そして、降下速度制御装置３６は、各開閉装置本体３８、３９の電動機２１、２１、第１ブレーキ手段２５、２５及び第２ブレーキ手段２７、２７と、検知スイッチ４０と、開度偏差計４１と電気的に接続されている。
【００３１】
次に、第２の実施形態に係る水門開閉装置１ｂの降下速度制御装置３６による制御方法を図３に基づいて説明する。
まず、扉体２の降下初期の段階では、ステップＳ１において、降下速度制御装置３６からの信号により、各開閉装置本体３８、３９の電動機２１、２１を閉方向に回転駆動させる。これと同時に、ステップＳ２において、各開閉装置本体３８、３９の第１ブレーキ手段２５、２５の操作により第１入力軸１８、１８を解放すると共に第２ブレーキ手段２７、２７の操作により第２入力軸１９、１９を解放した状態とする。
すると、扉体２は、第１の実施形態に係る水門開閉装置１ａと同様に、降下速度α＋β（ｍ／ｍｉｎ）で降下するようになる。
【００３２】
次に、扉体２が降下速度α＋β（ｍ／ｍｉｎ）で降下中、ステップＳ３にて、検知スイッチ４０により扉体２が着床直前であるか否かが判定される。続いて、ステップＳ３にて検知スイッチ４０により扉体２が着床直前ではない（ＮＯ）と判定されるとステップＳ４に進む。続いて、ステップＳ４では開度偏差計４１による計測結果に基づいて扉体２の傾斜状況が算出され、該傾斜状況に基づいて傾斜補正が必要か否かが判定される。ステップＳ４にて扉体２の傾斜補正は必要ない（ＮＯ）と判定されるとステップＳ３の前段階に戻る。一方、ステップＳ４にて扉体２の傾斜補正が必要である（ＹＥＳ）と判定されるとステップＳ５に進み、各開閉装置本体３８、３９のうち扉体２の傾いている側（扉体２の幅方向両側において先行して降下している側）の開閉装置本体３８または３９の電動機２１が停止される。なお、ステップＳ５において、扉体２の傾斜角度が基準値よりも大きい場合には、傾いている側（先行して降下している側）の開閉装置本体３８または３９の電動機２１を開方向に回転駆動させてもよい。続いて、ステップＳ６では、開度偏差計４１による計測結果に基づいて扉体２の傾斜状況が算出され、傾斜補正が完了したか否かが判定される。ステップＳ６にて、傾斜補正が完了していない（ＮＯ）と判定されると、ステップＳ６の前段階に戻る。一方、ステップＳ６にて、傾斜補正が完了していると（ＹＥＳ）と判定されるとステップＳ７に進む。続いて、ステップＳ７にて、停止中の電動機２１を再起動させた後、ステップＳ３の前段階に戻る。
【００３３】
一方、ステップＳ３において、検知スイッチ４０により扉体２が着床直前に到達したことが検知される（ＹＥＳ）と、ステップＳ８において、降下速度制御装置３６からの信号により、各開閉装置本体３８、３９の電動機２１、２１の閉方向への回転駆動を維持して、各開閉装置本体３８、３９の第１ブレーキ手段２５、２５の操作により第１入力軸１８，１８を解放すると共に第２ブレーキ手段２７、２７の操作により第２入力軸１９、１９を拘束した状態とする。
すると、扉体２は、第１の実施形態に係る水門開閉装置１ａと同様に、降下速度α（ｍ／ｍｉｎ）で降下するようになる。
【００３４】
最終的に、ステップＳ９において、検知スイッチ４０により扉体２が完全に着床したことが検知されると、ステップＳ１０において、その信号が降下速度制御装置３６に入力され、降下速度制御装置３６からの信号により、各開閉装置本体３８、３９の電動機２１、２１の閉方向への回転駆動を停止して、各開閉装置本体３８、３９の第１ブレーキ手段２５、２５の操作により第１入力軸１８、１８を拘束すると共に第２ブレーキ手段２７、２７の操作により第２入力軸１９、１９を拘束した状態とする。
【００３５】
以上説明したように、本発明の第２の実施形態に係る水門開閉装置１ｂでは、開閉装置本体３８、３９が扉体２の左右両側に一対設けられた場合でも、第１の実施形態に係る水門開閉装置１ａと同様に、扉体２の降下初期から着床直前までの範囲では、扉体２が比較的高速である降下速度α＋β（ｍ／ｍｉｎ）で降下すると共に、扉体２の着床直前から着床までの範囲では、扉体２へ着床時に衝撃を与えない安全な降下速度α（ｍ／ｍｉｎ）で降下するようになり、着床時に扉体２に損傷を与えることなく、短時間で水門を閉鎖することができる。しかも、第２の実施形態に係る水門開閉装置１ｂでは、開度偏差計４１により、降下中の扉体２が平衡状態を維持できずに、その幅方向が水門の幅方向に対して傾斜した場合、傾斜した側（扉体２の幅方向において先行して降下している側）の開閉装置本体３８または３９の電動機２１または２１を停止または逆転（開方向）することで、その傾斜を補正することができるので、特に有効である。
【００３６】
本発明の第２の実施形態に係る水門開閉装置１ｂでは、各開閉装置本体３８、３９の電動機２１、２１の回転駆動及び停止により、各自重降下制動装置３０、３０の作動による高速の自重降下において、扉体２の幅方向両端部の降下速度を容易に同調させる、すなわち扉体２の傾斜補正を容易に行うことができる。
【００３７】
なお、本発明の第１及び第２の実施形態に係る水門開閉装置１ａ、１ｂにおいては、電動機２１とは別構成にて第１ブレーキ手段２５を備えたが、電動機２１をブレーキ付き電動機として構成して第１ブレーキ手段２５を省いてもよい。また、自重降下制動装置３０に第２ブレーキ手段２７を内蔵しているものを採用すれば、第２ブレーキ手段２７を省いてもよい。
【符号の説明】
【００３８】
１ａ、１ｂ  水門開閉装置，２  扉体，１５、１６  回転軸，１７  出力軸，１８  第１入力軸，１９  第２入力軸，２０  差動装置，２１  電動機，２５  第１ブレーキ手段，２７  第２ブレーキ手段，３０  自重降下制動装置，３５、３６  降下速度制御装置，３８、３９  開閉装置本体，４１  開度偏差計
【図１】
0005936589.tif 000002
【図２】
0005936589.tif 000003
【図３】
0005936589.tif 000004